(57)【要約】【課題】  温度変更を時間遅れなく行える低温純粋蒸気で各種医薬品や食料品等を加熱する純粋蒸気発生装置を提供する。【解決手段】  熱交換タンク１２と純粋蒸気使用機器２を純粋蒸気供給管１３で接続する。蒸気使用機器２の下方に真空ポンプ３を接続する。真空ポンプ３をエゼクタ２１と複数の循環水タンク８，９と循環ポンプ２３で構成する。真空ポンプ３の循環水タンク８，９に純水管１０を延設したコイル状の純水供給管４を通して、熱交換タンク１２と接続する。  循環水タンク８，９で加熱された純水が熱交換タンク１２へ供給されて純粋蒸気となり、蒸気使用機器２で被加熱物を加熱する。加熱により生じた復水はエゼクタ２１に吸引される。複数の循環水タンク８，９にそれぞれ異なる温度の循環水を溜め置くことにより、純粋蒸気の温度の切換えを瞬時に行うことができる。【選択図】      図１
2005090770.tif 000002
【特許請求の範囲】
【請求項１】
熱交換部で純水を低圧の加熱用蒸気によって加熱することにより、不純物の少ない低圧純粋蒸気を発生するものにおいて、熱交換部に純水供給管と加熱用蒸気供給管を接続し、当該熱交換部で発生した純粋蒸気を純粋蒸気使用機器へ供給する純粋蒸気供給管を接続して、当該純粋蒸気使用機器にエゼクタと複数の循環水タンクと循環ポンプとから成る真空ポンプを連通すると共に、当該複数の循環水タンク内の循環水温を制御する水温制御部を設けたことを特徴とする純粋蒸気発生装置。
【発明の詳細な説明】
【技術分野】
【０００１】
本発明は、１００℃以下の低温純粋蒸気で各種医薬品や食料品等を加熱する純粋蒸気発生装置に関する。
【背景技術】
【０００２】
純粋蒸気発生装置は、不純物の少ない純水を加熱することによって純粋蒸気を発生するものである。
【０００３】
この純粋蒸気発生装置においては、純粋蒸気の圧力すなわち蒸気温度を変更する場合に時間を要してしまい、速やかに蒸気温度を変更することができない問題点があった。これは、蒸気温度を変更する場合に、吸引手段のエゼクタを通過する流体の温度を変化させなければならないのであるが、エゼクタを通過する流体の温度を変化させるのに、吸引手段のタンク内に所定量の流体を補給して所定温度になるまでに時間を要してしまうためである。
【特許文献１】特開２００３−９０５０４号公報
【発明の開示】
【発明が解決しようとする課題】
【０００４】
解決しようとする問題点は、純粋蒸気の圧力すなわち温度を変更する場合に、時間遅れを生じることなく、速やかに変更することのできる純粋蒸気発生装置を提供することである。
【課題を解決するための手段】
【０００５】
本発明は、熱交換部で純水を低圧の加熱用蒸気によって加熱することにより、不純物の少ない低圧純粋蒸気を発生するものにおいて、熱交換部に純水供給管と加熱用蒸気供給管を接続し、当該熱交換部で発生した純粋蒸気を純粋蒸気使用機器へ供給する純粋蒸気供給管を接続して、当該純粋蒸気使用機器にエゼクタと複数の循環水タンクと循環ポンプとから成る真空ポンプを連通すると共に、当該複数の循環水タンク内の循環水温を制御する水温制御部を設けたことを特徴とする。
【発明の効果】
【０００６】
本発明の純粋蒸気発生装置は、エゼクタと複数の循環水タンクと循環ポンプとから成る真空ポンプを純粋蒸気使用機器に連通して、複数の循環水タンク内の循環水温を制御する水温制御部を設けたことによって、複数の循環水タンクに変更したい圧力すなわち温度に対応した温度の循環水を予め溜め置くことにより、温度変更時にこのタンクへ接続切換えを行うだけで瞬時にエゼクタへ所定温度の流体を供給することができ、純粋蒸気温度の変更を速やかに行うことができるという利点がある。
【発明を実施するための最良の形態】
【０００７】
本発明は、複数の循環水タンクに変更すべき純粋蒸気温度に対応した温度の循環水を予め溜め置き、純粋蒸気温度を変更する場合に所定温度の循環水タンクと接続切換えすることによって、時間遅れを生じることなく純粋蒸気温度を変更することができる。
【実施例１】
【０００８】
図１は本発明の１実施例の構成図であって、低圧純粋蒸気を発生する熱交換部１と、純粋蒸気使用機器２と、真空ポンプ３、及び、真空ポンプ３を構成する複数の循環水タンク８，９とで純粋蒸気発生装置を構成する。
【０００９】
熱交換部１に純水供給管４と加熱用蒸気供給管５をそれぞれ接続する。加熱用蒸気供給管５には供給する蒸気の圧力を制御する自動制御弁６と開閉弁７を取り付ける。加熱用蒸気供給管５の出口側端部に蒸気トラップ１１を取り付ける。純水供給管４は、真空ポンプ３の複数の循環水タンク８，９内を通して純水管１０と接続する。純水供給管４から熱交換タンク１２内へ純水が供給され、加熱用蒸気で加熱されることによって純粋蒸気を発生する。
【００１０】
熱交換部１の上部と純粋蒸気使用機器２を純粋蒸気供給管１３で接続する。供給管１３には、熱交換タンク１２内で発生した純粋蒸気の圧力を検出する圧力センサ１４と、自動制御弁１５と開閉弁１６、及び、蒸気使用機器２の入口側の圧力を検出する圧力センサ１７をそれぞれ取り付ける。圧力センサ１４は図示しない圧力コントローラを介して自動制御弁６と電気接続し、一方、圧力センサ１７は同じくコントローラを介して自動制御弁１５と電気接続する。
【００１１】
純粋蒸気使用機器２内のコイル状の純粋蒸気供給管１８の下端出口側は、並列に配置したバルブ１９と蒸気トラップ２０を介して、真空ポンプ３を構成するエゼクタ２１の吸引室２２と接続する。純粋蒸気使用機器２内で図示しない被加熱物を加熱して熱を奪われた供給管１８内の純粋蒸気は、凝縮して復水となって、蒸気トラップ２０を通って吸引室２２へ吸引される。
【００１２】
真空ポンプ３をエゼクタ２１と複数の循環水タンク８，９と循環ポンプ２３及びこれらを連結する連結管路２４で構成する。エゼクタ２１の出口管２５を分岐して複数の循環水タンク８，９と接続し、それぞれの循環水タンク８，９の出口側は連結管路２４と接続して循環ポンプ２３と連設する。真空ポンプ３は、循環ポンプ２３で循環水タンク８又は９内の循環水をエゼクタ２１へ供給して、吸引室２２で吸引力を発生するものである。
【００１３】
純水の供給源と連通した純水管１０を分岐した純水分岐管２６，２７を、それぞれ循環水タンク８，９内をコイル状に通過して純水供給管４と連通する。また、純水管１０を分岐した分岐管２８，２９を循環水タンク８，９へ接続して、供給する純水の量を制御することによって、タンク８，９内の水温を任意にコントロールできるようにする。なお、タンク８，９内へ純水を供給する代わりに工業用水や水道水を供給することもできる。また、それぞれの循環水タンク８，９に内部の水温を検出する温度センサを取り付けて、タンク８，９へ供給する純水や工業用水や水道水の量を制御することもできる。
【００１４】
純水管１０と純水分岐管２６，２７を通った純水は、循環水タンク８，９内をコイル状に通過する間にタンク８，９内の循環水によって加熱されて、純水供給管４から熱交換タンク１２内へ至る。このように、熱交換タンク１２へ供給する純水を加熱することによって、熱交換タンク１２内での純水の蒸発を効率的に行うことができる。
【００１５】
複数タンク８，９内の循環水の温度を、例えば、４０℃と７０℃と異なる温度に設定しておけば、付設のバルブを操作することによって、循環ポンプ２３からエゼクタ２１へ供給する循環水の水温を異なる温度へ瞬時に切換えることができる。なお、循環水タンク８，９は通常は両方を同時に使用することはなく、付設のバルブを開閉操作していずれか一方の循環水タンク８又は９を使用する。
【００１６】
熱交換タンク１２内で発生した純粋蒸気は、純粋蒸気供給管１３から蒸気使用機器２へ供給されて被加熱物を加熱し凝縮して復水となって蒸気トラップ２０又はバルブ１９を通ってエゼクタ２１に吸引される。エゼクタ２１の吸引力により、あるいは、コイル状の純粋蒸気供給管１８内で蒸気が凝縮してその体積が急激に減少することにより、蒸気供給管１８内の純粋蒸気は大気圧以下の真空蒸気圧力に維持される。
【００１７】
複数の循環水タンク８，９に変更すべき純粋蒸気温度に対応した温度の循環水を予め溜め置き、純粋蒸気温度を変更する場合に所定温度の循環水タンクと接続切換えすることによって、時間遅れを生じることなく純粋蒸気温度を瞬時に変更することができる。
【産業上の利用可能性】
【００１８】
純粋蒸気使用機器で使用する純粋蒸気の温度を任意に且つ瞬時に切換えるものであり、１００℃以下の低温純粋蒸気で各種医薬品や食料品等を温度精度良く加熱することができる。
【図面の簡単な説明】
【００１９】
【図１】本発明の純粋蒸気発生装置の実施例を示す構成図。
【符号の説明】
【００２０】
１  熱交換部
２  純粋蒸気使用機器
３  真空ポンプ
４  純水供給管
８，９  循環水タンク
１０  純水管
１２  熱交換タンク
１３  純粋蒸気供給管
２１  エゼクタ
２３  循環ポンプ
【図１】
2005090770.tif 000003